(57)【要約】【課題】従来、ネクタイの結び目は大剣の表示部分（前垂れ）とは直角の方向に表示されたデザインしかなかった。【解決手段】  結び目の表示される部分を独立した一部位とし、他の部位とは違う方向で裁断された布によりネクタイとして縫製する事により、結び目が同じ方向のネクタイが出来たり、大剣の表示部分の長さにより、結び目と大剣の表示部分の柄の位置が一緒になり一枚の布のように見える箇所があったり、該箇所を位置決め方法により毎回同じ場所から結ぶことでネクタイの表示部分を一枚の布のようなったデザインを常時見せることが可能で、該デザインを型毎織り込んだ模様のデザインで布を織ったり、染めたり、プリントすることで効率よく裁断できる。【選択図】図３０
2014194104.tif 000002
【特許請求の範囲】
【請求項１】
ネクタイを構成する部位から、結び目が表示される部分を一つの部位として確立し、バイアスを維持した他の部位の方向とは直角の方向に裁断された部位により構成することを特徴とする結び目表示部変更のネクタイと型込デザインの製造方法。
【請求項２】
ネクタイを交差して結び始める位置が把握できる位置決め方法を具備することを特徴とする請求項１における結び目表示部変更のネクタイと型込デザインの製造方法。
【請求項３】
ネクタイの裏面に空間を設定し、該空間に小剣側を通すことでネクタイを交差させ結び始める位置決め方法を具備することを特徴とする請求項２における結び目表示部変更のネクタイと型込デザインの製造方法。
【請求項４】
ネクタイを構成する部位その物の型を含む模様が表示されたデザインの布を特徴とする請求項１における結び目表示部変更のネクタイと型込デザインの製造方法。
【発明の詳細な説明】
【技術分野】
【０００１】
本発明は、ネクタイにおける結び目の表示及びその製造方法に関するものである。
【背景技術】
【０００２】
傾斜の縞柄におけるネクタイに関して、従来の大剣部における前垂れ部分（大剣表示部）の柄方向とは異なる方向の伴布により他の部位を構成したネクタイの製造方法が知られている（特許文献１参照）。
【０００３】
小剣部の剣先から１８ｃｍの位置に印を設け、該印を頼りに大剣部の剣先から６０ｃｍから７０ｃｍの部分に数点の印を設けて結び始めることで毎回同じ長さの大剣の表示部を得るという先行技術も知られている（特許文献２参照）。
【０００４】
柄入りの布を裁断する時、柄の大きさ、方向等を参考に仕上がりのデザインを考慮しながら型を配置し、裁断していた。
【０００５】
【特許文献１】特開２０１１−２４６８６３号公報
【特許文献２】特開２００２−１７３８１４号公報
【発明の概要】
【発明が解決しようとする課題】
【０００６】
布のバイアスを無視して縫製されたネクタイは締め難く、締めた時大剣、小剣の模様の方向が違うので違和感があった。
【０００７】
結び始める位置を目測に頼らず大剣先の表示部分の長さを調整できるよう印を設けているが、該印を頼りに目測により位置調整するという方法では正確に大剣の表示部分の長さを調整する事が出来ない。
【０００８】
無地の布は型紙を効率よく配置できるが、柄物は大きさ、方向等により型紙の配置に配慮が必要で効率よく裁断できなかった。
【課題を解決するための手段】
【０００９】
一般的なネクタイとは縞、斜め縞、小紋、チェック等により同方向にパターン化された柄の布から大剣、なかはぎ、小剣とバイアスを維持しながら柄の方向を合わせ、裁断された部位等により構成され、結び初めの位置と首回りの大きさに左右されるが、ネクタイを締めた時の各部位の関係を示すと大剣部は大剣が表示される部分と結び目が表示される部分を含んでいて、なかはぎ部は首回りに大部分が占められていて、小剣部は首回りと結び目部内と大剣表示部の裏側に位置している。
【００１０】
ネクタイを締めた時の結び目の部分を結び目表示部とし、大剣が表示されている部分を大剣表示部とし、結び目表示部と大剣表示部を合わせた部分をネクタイ表示部とする。
【００１１】
大剣の部位から、大剣表示部と結び目表示部の中間を基準にした任意の箇所を切断し、該切断した各断面側に縫い代分を補てんした型紙を設け、該型紙の大剣表示部側を大剣表示型紙とし、該大剣表示型紙で元の大剣部と同じ方向で布を裁断し、他方の結び目部側の型紙を結び目表示型紙とし、該結び目表示型紙では元の大剣部とは直角（９０度又は２７０度）になる方向で布を裁断し、該裁断された布と大剣表示型紙で裁断された布を元の大剣の部位と同じ大きさになるよう切断された断面と同じ個所を縫合し、従来のなかはぎの部位、小剣の部位、ネクタイ芯、各剣先裏地、小剣通し、ダグ等の各部位を加減しネクタイとして縫製する。
【００１２】
上記により縫製されたネクタイを締めると、大剣表示部と結び目表示部の柄が同じ方向に表示されるようになる事から、伴布による伴柄で、互いに伴の方向に向くことを得ることができたことにより、ネクタイの結び方を伴得結び（ともえむすび）とし、結び目を伴得目(ともえめ)とした。
【００１３】
以降、柄の大きさに左右されるが、伴得結びのネクタイでは大剣表示部の長さの変化により大剣表示部と結び目表示部の伴柄が、番(つが)いのように一体化し、ネクタイ表示部が一枚の布のように見える現象に恵まれることがある、該現象によるネクタイの結び方を番恵結び(つがえむすび)とし、結び目を番恵目(つがえめ)とした。
【００１４】
番恵結びをするには、大剣表示部の長さを調整できるよう予め指標表記等による位置決め方法により、適切な位置からネクタイを交差し、締め始める事により毎回同じ番恵結びが容易にできる。
【００１５】
例えばネクタイ表示部の全面に東京スカイツリーを描くとし、頂点部分を番恵目に表示し、他を大剣表示部に表示させるには、ウィンザーノット、セミ・ウィンザーノット、ダブルノット、プレーンノット等様々な結び方がある中から選択し、最後に結び目表示部の表示部分を見せるために時計回りに回すのか反時計回りに回して大剣を通しネクタイを締めるのかを予め決めなければ番恵結びはできない。
【００１６】
指標等を頼りに大剣表示部の長さを調節できる従来の位置決め方法とは別に、ネクタイを交差して結び始める定められた位置に、結び目内で邪魔にならない適度な空間を設け、該空間に小剣を通し交差させる事により毎回同じ位置からネクタイを結び始めることが出来る。
【００１７】
番恵結びの出来る紙型と使用方法は、丁度良いネクタイ表示部に成るよう位置決め方法により結び始める位置を把握し、大剣表示部と結び目表示部の中間を番恵点とし、該番恵点が把握できる状態を維持しながら大剣表示部と結び目表示部の型紙を作り、該型紙の番恵点を基準に柄を合わせて布を裁断し元の大剣の部位と同じようにしてネクタイを縫製する。
【００１８】
上記ネクタイを普通に結ぶとほぼ伴得結びになるが、位置決め方法により把握されていた位置から結び始めることで容易に番恵結びができる。
【００１９】
無地の布に比べ柄物は模様に合わせ型を配置するので布を余分に使っていたが、裁断した布の部位を効率よく並べた配置のままを一つのデザインとし、該デザインで布を織ったり、プリントすることで型も一緒に表記されるので効率の良い裁断が出来る。
【００２０】
簡易ネクタイ、ワンタッチネクタイ等最初から結び目が出来ているネクタイは、従来の結び目の部位を直角（９０度又は２７０度）方向に変更して伴得結びとし、番恵結びは伴得結びの大剣表示部か結び目の部位の柄を合わせて製造する。
【００２１】
上記記載の型紙により裁断する作業も、金型、パターン化による裁断も同作業である。
以上を特徴とする結び目表示部変更のネクタイと型込デザインの製造方法である。
【発明の効果】
【００２２】
従来、結婚式などでは、ご祝儀の水引は結び切り等で蝶結び等は厳禁とされている、このように縁起を尊ぶ観点から、従来のネクタイの結び目は大剣表示部の柄の方向とは直角に違った方向で結ばれていて、夫婦の将来の方向性に不安を感じさせる結び方であり、祝いの席には不似合い、もしくは不都合であるが、本発明のネクタイは同方向の柄を伴に得る即ち伴侶を得ると同じで、新郎新婦が伴に寄り添い同じ方向を向き結ばれる証となる目出度いネクタイであり且つ、番恵結びは別々の二人が理解し合い、同じ方向に向け伴に助けあった結果一体化する機会に恵まれた事を祝う証となるネクタイである。
【００２３】
葬儀に出始めると次々と周りの人が亡くなっていくとか、亡くなられた人が寂しがって連れて行かれた等、縁起の悪い話を聞きますが要因として、今までのネクタイでは方向は違いますが見送る人と見送られる人が伴（同じ）布で結ばれていて同じ世界で伴に通じ合っていると考えられますが、故人はすでに別世界に旅立たれていて伴にすることは出来ないので、本発明のネクタイにより結び目は違う布で結ぶとか、結び目を別の無地（無事）布にすることで、故人とは別の世界に居る証と成り、心置きなく見送ることが出来る。
【００２４】
効率の良い配置による型込デザインの実施により、手作業による型の配置をしなくても希望の柄模様が効率よく裁断できるようになった。
【図面の簡単な説明】
【００２５】
【図１】ネクタイの包みを解いて開いた正面図。
【図２】図１を大剣、なかはぎ、小剣に分解した部位の配列図。
【図３】図２の大剣部を分割した配列図。
【図４】大剣表示型紙、結び目表示型紙、なかはぎ型紙、小剣型紙の配列図。
【図５】型紙を縞模様の布上にバイアスを取り型紙を配した配置図。
【図６】図５により裁断されたネクタイの各部位の配列図。
【図７】図６の各部位をつなぎ合わせた正面図。
【図８】図７の縫合した部位をネクタイに縫製した正面図。
【図９】図８のネクタイを結ぶと結び目と大剣表示部の柄が同方向なのを確認できる一部拡大図。
【図１０】大剣表示部の長さの違いにより生じる伴得目と番恵目の比較と一部拡大図。
【図１１】ネクタイを交差して結び初める位置と指標を示す正面と一部拡大図。
【図１２】ネクタイを交差する位置に空間を作る位置決め部の配置と一部拡大図。
【図１３】図１２と違う形状の位置決め部の配置と一部拡大図。
【図１４】ネクタイ表示部の輪郭の表記と番恵点を示唆した正面と一部拡大図。
【図１５】図１４のネクタイの包みを解いて開いた正面図。
【図１６】図１５を大剣、なかはぎ、小剣の部位に分解した部位の配列図。
【図１７】図１６の大剣部を分割した配列図。
【図１８】大剣分の型紙を２つの型紙に分割し構成されたネクタイ部位の型紙配列図
【図１９】図１８の型紙にネクタイの枠分の表示空間と番恵点を示した型紙の配列図。
【図２０】斜め縞柄の布上に番恵点を基準に柄を合わせ、バイアスを取り型紙を配した配置図。
【図２１】図２０により裁断されたネクタイの各部位の配列図。
【図２２】図２１の各部位をつなぎ合わせた正面図。
【図２３】図２２の部位をネクタイに縫製し番恵結びにした正面と一部拡大図。
【図２４】同じ柄を一部直角に表記した布の正面図
【図２５】図２３の布にバイアスを取り大剣型紙を配した配置図
【図２６】図２４で裁断して得た大剣の布の部位の正面図
【図２７】大剣表示部と結び目表示部を設けることなく結び目の柄の方向が直角になるよう大剣の型毎織り込んだ布の正面図
【図２８】ネクタイの構成部位を効率よく一組毎に配置された型込デザイン布の正面図
【図２９】ネクタイの構成部位を効率よく二組毎に配置された布の正面図
【図３０】図２８の各部位をつなぎ合わせた正面図。
【図３１】本発明によるネクタイ表示部の配列図
【発明を実施するための形態】
【実施例１】
【００２６】
図１は、筒状に縫い合わせている糸を解き、大剣、なかはぎ、小剣の部位が繋がっている状態のネクタイ（８１）部位の図である。
【００２７】
図２は、図１のネクタイ（８１）部位を大剣（１１）、なかはぎ（２１）、小剣（３１）と糸を解き分離した各部位である。
【００２８】
図３は、図２の大剣（１１）から大剣表示部（４１）と結び目表示部（５１）とに切断した各部位である。
【００２９】
図４は、図３の大剣表示部（４１）と結び目表示部（５１）の大きさから切断した各断面側に縫い代分を補てんした型紙を設けて大剣表示型紙（Ｄ１）と結び目表示型紙（Ｅ１）を制作し、図２のなかはぎ（２１）と小剣（３１）は同じ大きさのなかはぎ型紙（Ｂ１）と小剣型紙（Ｃ１）を制作した型紙である。
【００３０】
図５は、平行した縞模様の布（６２）に図４のなかはぎ型紙（Ｂ１）と小剣型紙（Ｃ１）と大剣表示型紙（Ｄ１）を同じ方向に、結び目表示型紙（Ｅ１）は効率が悪いが直角の方向に各型紙をバイアスに配置し裁断できるようにした図である。
【００３１】
図６は、図５で裁断されたなかはぎ（２２）、小剣（３２）、大剣表示部（４２）、結び目表示部（５２）の各布の部位で縫合する方向に配置してある。
【００３２】
図７は、図６の各部位をつなぎ合わせたネクタイ（８２）部位である。
【００３３】
図８は図７の部位をネクタイ（８２）として縫製したものである。
【００３４】
図９は図８のネクタイ（８２）を締めた状態の図で、大剣表示部（４２）の縞模様の方向と結び目表示部（５２）の縞模様の方向が伴に一緒で、ネクタイ表示部の柄の方向が同方法になる事が得られて、結び目が伴得目（Ｆ１）になっていることが拡大図で確認できる。
【実施例２】
【００３５】
図１０は、図９のネクタイ（８２）を締めると結び目が伴得目（Ｆ１）になり、大剣表示部が長くなるよう結びなおすと結び目が番恵目（Ｇ１）になったことを示す一部拡大図で、互いの結び目の位置と大剣の剣先の位置の違いが平行線で示され確認でき、同じネクタイでも大剣表示部の長さの違いで伴得目（Ｆ１）と番恵目（Ｇ１）に変化する。
【００３６】
図１１は図１０のネクタイ（８２）が毎回、番恵目（Ｇ１）になるよう位置決め方法を具備し、一部拡大に示された位置決め表示部（Ｈ１）を確認しながら適切な個所で結び始めることで毎回、同じ番恵結びが結べる。
【００３７】
ネクタイを結ぶ時、大剣側の下に小剣側を交差して結び始めるが、交差する位置で大剣表示部の長さが決まる事から、事前に小剣側と交差する大剣裏側の定められた位置に小剣側を通す空間を設ける、該空間により毎回定められた位置で大剣側の下に小剣側を交差させ結び始めることが出来るしかしながら、該空間は小剣側の交差位置がブレないよう小剣幅より狭い空間でネクタイを締めた時、小剣側を通せる大きさでなければならない。
【００３８】
交差して結び始める位置で大剣表示部の長さが決まるとしたが、結び方には様々な方法があり毎回同じ結び方をすることで同じ長さの大剣表示部を得ることが出来る。
【００３９】
図１２のネクタイ（８３）には、丸い形状にも変形できるネームタグのような形態の位置決め方法による位置決め部が具備されていて、大剣側の位置決め部（７１）はセミウインザーノットで結ぶと毎回大剣表示部の長さが同じである、小剣側の位置決め部（７２）はウインザーノットで結ぶと毎回大剣側の位置決め部（７１）のセミウインザーノットで結んだ大剣表示部の長さと同じ長さになる位置にあり、どちらの位置決め部でも決められた結び方で結ぶと毎回同じ大剣表示部の長さが得られる。
【００４０】
図１３のネクタイ（８４）は図１２のネクタイ（８３）と同じ位置決め方法を具備していて、位置決め部の形状がループ状になっている、大剣側の位置決め部（７３）はセミウインザーノットで結び、小剣側の位置決め部（７４）はウインザーノットで結ぶと同じ長さの大剣表示部が得られる。
【００４１】
図１４は、図１２等の位置決め方法により位置決め部（７１）からセミウインザーノットで結んだ無地のネクタイ（８５）にネクタイ表示部の中央の上から下に向け一本の線を表記し、大剣表示部（４５）と結び目表示部（５５）の輪郭にも縁取りをして、大剣表示部（４５）と結び目表示部（５５）の境目中間点（線上）を番恵点（Ｊ１）とした図である。
【００４２】
図１５は図１４のネクタイ（８５）を図１のネクタイ（８１）部位のように糸を解き開いた図で、番恵点（Ｊ１）とネクタイ（８５）としての輪郭が確認できる。
【００４３】
図１６は図２のように図１５のネクタイ（８５）部位を大剣（１１）、なかはぎ（２５）、小剣（３１）と糸を解き分離された各部位である。
【００４４】
図１７は図３のように図１６の大剣（１５）を大剣表示部（４５）と結び目表示部（５５）とに切断した各部位である。
【００４５】
図１８は図４のように図１７の大剣表示部（４５）と結び目表示部（５５）の大きさから切断された部分に縫い代を補てんした大剣表示型紙（Ｄ２）と結び目表示型紙（Ｅ２）を制作し、図１６のなかはぎ（２５）と小剣（３１）は同じ大きさのなかはぎ型紙（Ｂ２）と小剣型紙（Ｃ２）を制作した型紙である。
【００４６】
図１９は図１８の型紙に図１４でネクタイ（８５）に表記された線と番恵点（Ｊ１）が確認できるよう同じものを大剣表示型紙（Ｄ３）と結び目表示型紙（Ｅ３）に転記し輪郭の内部を空白にし番恵点が目視できるようにして、なかはぎ（Ｂ３）と小剣型紙（Ｃ３）も同様にネクタイ（８５）の輪郭を転記し内部を空白にした。
【００４７】
図２０は、図１４のネクタイ（８５）と同じ質で斜線の縞柄が表記された布（６６）に大剣表示型紙（Ｄ３）の透明な部分を見ながら剣先から番恵点（Ｊ２）に向けての柄と、結び目表示型紙（Ｅ３）の透明な部分を見ながら番恵点（Ｊ２）から続くように設置し、なかはぎ（Ｂ３）と小剣型紙（Ｃ３）は大剣表示型紙（Ｄ３）と同じ方向とバイアスを合わせ、各型紙を配置した図である。
【００４８】
図２１は、図２０での配置により裁断されたなかはぎ（２６）,小剣（３６）、大剣表示部（４６）、結び目表示部（５６）の各部位で、縫合する方向に配置してある。
【００４９】
図２２は、図２１の各部位を縫合してネクタイ（８６）部位にした図である。
【００５０】
図２３は、図２２の部位を図１４のネクタイ（８５）と同じ材料で同じ位置決め方法による位置決め部（７１）を具備したネクタイ（８６）として縫合し、位置決め部（７１）で交差しセミウインザーノットで結んだ図で、大剣表示部の柄と結び目表示部の柄が番いになっていて、図１４で示した番恵点（Ｊ１）と同じ位置に番恵点（Ｊ３）が確認でき、ネクタイ表示部が一枚の布柄に見える現象に恵まれる番恵結びになっている事を示す一部拡大図である。
【実施例３】
【００５１】
図２４は平行した縞模様の柄に、一部直角方向に同じ縞模様の柄を表記した布（６７）である。
【００５２】
図２５は、図２４の布（６７）に、従来のネクタイ製造による大剣用の大剣型紙（Ａ１）だけをバイアスを取り配置した図である。
【００５３】
図２６は、図２５の大剣型紙（Ａ１）をもとに裁断された大剣（１７）の部位で、実施例１のように大剣表示部と結び目表示部を縫合して大剣としての部位を作ることなく、大剣表示部と結び目表示部の要素を兼ね備えた大剣（１７）の部位になっている。
【００５４】
図２７は、図２４と同じように一定した模様ではなく、各々の部位に必要な模様を型と伴に柄として表記することで効率よく部位の裁断が出来る事から、実施例１では大剣として縫合していた部位を、型と一緒の模様として効率よく配置された柄を表記した布（６８）で、布（６８）の表記されている型に沿って裁断することで、実施例1で制作されるのと同じような大剣の部位が得られる。
【００５５】
図２８は、図１９の型紙により裁断し、図２３で示すネクタイ（８６）と同じ模様で位置決め表示部（Ｈ９）が表記された大剣（１９）部分となかはぎ（２９）部分の他に小剣（３９）部分と裏地用の部位分等を型と一緒に模様として一組ずつのセットとして順次表記した柄の布（６９）で、該布（６９）に表記されている型に沿って裁断することで、図５、図２０のように模様にこだわらず効率よく各部位を裁断でき、図２２と同じような部位が得られ、位置決め方法も具備できている。
【００５６】
図２９は、二組ずつを図２８と同じ方法で大剣（１９）部分となかはぎ（２９）部分と小剣（３９）部分と裏地用の部位分等を効率よく表記した布（６１）で、従来のネクタイの部位を裁断する方法としても対応する。
【００５７】
図３０は、図２８の布（６９）から大剣（１９）となかはぎ（２９）と小剣（３９）を図２２のようにつなげたネクタイ（８９）部位であるが、図１１と同じような位置決め表示部（Ｈ９）が表記されているので、番恵結びが容易にできるネクタイ（８９）になる。
【００５８】
図３１は本発明による製品のネクタイ表示部を示した図で、ネクタイ表示部（９１）が平行した縞模様の番恵結びによる実施例１、２、３により、ネクタイ表示部（９２）が垂直に表記された縞模様の番恵結びによる実施例１、２、３により、ネクタイ表示部（９３）の大剣表示部が斜の縞模様で、結び目表示部が垂直方向の別の縞模様で実施例１と３により、ネクタイ表示部（９４）の大剣表示部が斜の縞模様で、結び目表示部が無地の実施例１と３により、ネクタイ表示部（９５）が６角の星形をした模様の番恵結びによる実施例２と３により、ネクタイ表示部（９６）がネクタイ表示部（９６）全体に縁取りをした模様に成るよう実施例２と３による。
【符号の説明】
【００５９】
１１、１５、１７、１９              大剣
２１、２２、２５、２６、２          なかはぎ
３１、３２、３５、３６、３９        小剣
４１、４２、４５、４６、            大剣表示部
５１、５２、５５、５６              結び目表示部
６１、６２、６６、６７、６８、６９  布
７１、７２、７３、７４              位置決め部
８１、８２、８３、８４、８５、８６  ネクタイ
９１、９２、９３、９４、９５、９６  ネクタイ表示部
Ａ１                                大剣型紙
Ｂ１、Ｂ２、Ｂ３                    なかはぎ型紙
Ｃ１、Ｃ２、Ｃ３                    小剣型紙
Ｄ１、Ｄ２、Ｄ３、                  大剣表示型紙
Ｅ１、Ｅ２、Ｅ３、                  結び目表示型紙
Ｆ１                                伴得目
Ｇ１                                番恵目
Ｈ１、Ｈ９                          位置決め表示部
Ｊ１、Ｊ２、Ｊ３、                    番恵点
【図１２】
2014194104.tif 000003
【図２６】
2014194104.tif 000004
【図１】
2014194104.tif 000005
【図２】
2014194104.tif 000006
【図３】
2014194104.tif 000007
【図４】
2014194104.tif 000008
【図５】
2014194104.tif 000009
【図６】
2014194104.tif 000010
【図７】
2014194104.tif 000011
【図８】
2014194104.tif 000012
【図９】
2014194104.tif 000013
【図１０】
2014194104.tif 000014
【図１１】
2014194104.tif 000015
【図１３】
2014194104.tif 000016
【図１４】
2014194104.tif 000017
【図１５】
2014194104.tif 000018
【図１６】
2014194104.tif 000019
【図１７】
2014194104.tif 000020
【図１８】
2014194104.tif 000021
【図１９】
2014194104.tif 000022
【図２０】
2014194104.tif 000023
【図２１】
2014194104.tif 000024
【図２２】
2014194104.tif 000025
【図２３】
2014194104.tif 000026
【図２４】
2014194104.tif 000027
【図２５】
2014194104.tif 000028
【図２７】
2014194104.tif 000029
【図２８】
2014194104.tif 000030
【図２９】
2014194104.tif 000031
【図３０】
2014194104.tif 000032
【図３１】
2014194104.tif 000033